(57)【特許請求の範囲】
【請求項１】
双方向通信の一方向のみにおいてビデオ情報とオーディオ情報との同期を無効化するためのコマンドを生成するステップと、
前記コマンドを装置に送信するステップと、
を含み、
前記一方向が前記装置への通信方向である場合、さらに、
第１のオーディオ情報と前記第１のオーディオ情報と同期しない第１のビデオ情報とを前記装置に送信するステップと、
前記装置から第２のビデオ情報および第２のオーディオ情報を受信するステップと、
前記第２のビデオ情報を前記第２のオーディオ情報に同期して復号するステップと、
前記装置が前記一方向においてビデオ情報とオーディオ情報との同期を無効化したことを示す前記コマンドの肯定応答を前記装置から受信するステップ、
を含む方法。
【請求項２】
前記一方向が前記装置への通信方向である場合、
前記第１のオーディオ情報は、第１のユーザに関連する第１の音声情報を含み、
前記第１のビデオ情報は、前記第１のオーディオ情報とは無関係のビデオクリップを含み、
前記第２のオーディオ情報は、第２のユーザに関連する第２の音声情報を含み、
前記第２のビデオ情報は、前記第２のオーディオ情報に関連するビデオを含む、
請求項１記載の方法。
【請求項３】
前記一方向が前記装置からの通信方向である場合、さらに、
第１のオーディオ情報と前記第１のオーディオ情報と同期する第１のビデオ情報を前記装置へ送信するステップと、
前記装置から第２のオーディオ情報および第２のビデオ情報を受信するステップと、
前記第２のビデオ情報を前記第２のオーディオ情報とは非同期に復号するステップと、
を含む請求項１記載の方法。
【請求項４】
前記一方向が前記装置からの通信方向である場合、
前記第１のオーディオ情報は、第１のユーザに関連する第１の音声情報を含み、
前記第１のビデオ情報は、前記第１のオーディオ情報に関連するビデオを含み、
前記第２のオーディオ情報は、第２のユーザに関連する第２の音声情報を含み、及び
前記第２のビデオ情報は、前記第２のオーディオ情報とは無関係のビデオクリップを含む請求項３記載の方法。
【請求項５】
前記コマンドは、第３世代共同プロジェクト技術仕様（the third generation partnership project technical specification）２６．１１４（３ＧＰＰ  ＴＳ２６．１１４）に実質的に準拠するプロトコルにおける同期属性コマンドを含む請求項１記載の方法。
【請求項６】
双方向通信の一方向のみにおいてビデオ情報とオーディオ情報との同期を無効化するためのコマンドを装置から受信するステップと、
ビデオ情報とオーディオ情報との同期が前記一方向において無効化されたことを示すために、前記コマンドの肯定応答を前記装置に送信するステップと、
を含み、
前記一方向が前記装置への通信方向である場合、さらに、
第１のオーディオ情報と、前記第１のオーディオ情報と非同期の第１のビデオ情報とを前記装置に送信するステップと、
前記装置から第２のオーディオ情報および第２のビデオ情報を受信するステップと、
前記第２のビデオ情報を前記第２のオーディオ情報に同期して復号するステップと、
を含む方法。
【請求項７】
前記一方向が前記装置への通信方向である場合、
前記第１のオーディオ情報は、第１のユーザに関連する第１の音声情報を含み、
前記第１のビデオ情報は、前記第１のオーディオ情報とは無関係のビデオクリップを含み、
前記第２のオーディオ情報は、第２のユーザに関連する第２の音声情報を含み、
前記第２のビデオ情報は、前記第２のオーディオ情報に関連するビデオを含む、
請求項６記載の方法。
【請求項８】
前記一方向が前記装置からの通信方向である場合、さらに、
第１のオーディオ情報と、前記第１のオーディオ情報と同期する第１のビデオ情報を前記装置に送信するステップと、
前記装置から第２のオーディオ情報および第２のビデオ情報を受信するステップと、
前記第２のビデオ情報を前記第２のオーディオ情報とは非同期に復号するステップ、
をさらに含む請求項６記載の方法。
【請求項９】
前記一方向が前記装置からの通信方向である場合、
前記第１のオーディオ情報は、第１のユーザに関連する第１の音声情報を含み、
前記第１のビデオ情報は、前記第１のオーディオ情報に関連するビデオを含み、
前記第２のオーディオ情報は、第２のユーザに関連する第２の音声情報を含み、
前記第２のビデオ情報が、前記第２のオーディオ情報とは無関係のビデオクリップを含む請求項８記載の方法。
【請求項１０】
前記コマンドは、第３世代共同プロジェクト技術仕様（the third generation partnership project technical specification）２６．１１４（３ＧＰＰ  ＴＳ２６．１１４）に実質的に準拠するプロトコルにおける同期属性コマンドを含む請求項６記載の方法。
【請求項１１】
オーディオおよびビデオ情報を通信するための装置であって、
双方向通信の一方向のみにおいてビデオ情報とオーディオ情報との同期を無効化するためのコマンドを生成する制御ユニットと、
前記コマンドを他の装置に送信する送信機と、
前記他の装置が前記一方向においてビデオ情報とオーディオ情報との同期を無効化したことを示す前記コマンドの肯定応答を、前記他の装置から受信する受信機と、
を備え、
前記一方向が前記他の装置への通信方向である場合、前記送信機は第１のオーディオ情報と、前記第1のオーディオ情報とは非同期の第１のビデオ情報を前記他の装置に送信し、前記受信機は前記他の装置から第２のオーディオ情報および第２のビデオ情報を受信し、前記第２のビデオ情報は前記第２のオーディオ情報に同期して復号される、装置。
【請求項１２】
前記一方向が前記他の装置への通信方向である場合、
前記第１のオーディオ情報は、第１のユーザに関連する第１の音声情報を含み、
前記第１のビデオ情報は、前記第１のオーディオ情報とは無関係のビデオクリップを含み、
前記第２のオーディオ情報は、第２のユーザに関連する第２の音声情報を含み、
前記第２のビデオ情報は、前記第２のオーディオ情報に関連するビデオを含む、
請求項１１記載の装置。
【請求項１３】
前記一方向が前記他の装置から前記装置への通信方向である場合、前記送信機は第１のオーディオ情報と、前記第１のオーディオ情報と同期する第１のビデオ情報を前記他の装置に送信し、前記受信機は前記装置から第２のオーディオ情報および第２のビデオ情報を受信し、前記第２のビデオ情報は前記第２のオーディオ情報とは非同期に復号される、
請求項１１記載の装置。
【請求項１４】
前記一方向が前記他の装置から前記装置への通信方向である場合、
前記第１のオーディオ情報は、第１のユーザに関連する第１の音声情報を含み、
前記第１のビデオ情報は、前記第１のオーディオ情報に関連するビデオを含み、
前記第２のオーディオ情報は、第２のユーザに関連する第２の音声情報を含み、
前記第２のビデオ情報は、前記第２のオーディオ情報とは無関係のビデオを含む、
請求項１３記載の装置。
【請求項１５】
前記コマンドは、第３世代共同プロジェクト技術仕様（the third generation partnership project technical specification）２６．１１４（３ＧＰＰ  ＴＳ２６．１１４）に実質的に準拠するプロトコルにおける同期属性コマンドを含む請求項１１記載の装置。
【請求項１６】
無線通信装置ハンドセットと、
集積回路と、
のうちの少なくとも１つを備える請求項１１記載の装置。
【請求項１７】
オーディオおよびビデオ情報を通信するための装置であって、
双方向通信の一方向のみにおいてビデオ情報とオーディオ情報との同期を無効化するためのコマンドを他の装置から受信する受信機と、
前記一方向においてビデオ情報とオーディオ情報との同期を無効化したことを示す前記コマンドの肯定応答を送信する送信機と、
を備え、
前記一方向が前記他の装置への通信方向である場合、前記送信機は第１のオーディオ情報と、前記第１のオーディオ情報とは非同期の第１のビデオ情報を前記他の装置へ送信し、前記受信器は前記他の装置から第２のオーディオ情報および第２のビデオ情報を受信し、前記第２のビデオ情報は前記第２のオーディオ情報に同期して復号される、
装置。
【請求項１８】
パケットベースのネットワークと、
前記パケットベースのネットワークに結合された第１の装置と、
前記パケットベースのネットワークに結合された第２の装置と
を備えるシステムであって、
前記第１の装置および前記第２の装置は、前記パケットベースのネットワークを通じて双方向通信するために互いに通信可能に結合され、
前記第１の装置は、双方向通信の一方向のみにおいてビデオ情報とオーディオ情報との同期を無効化するためのコマンドを生成し、前記コマンドを前記第２の装置に送信し、
前記第２の装置は、前記一方向においてビデオ情報とオーディオ情報との同期を無効化したことを示す前記コマンドの肯定応答を送信し、
前記一方向が前記第１の装置から前記第２の装置への通信方向である場合、前記第１の装置は、第１のオーディオ情報と、前記第１のオーディオ情報とは非同期の第１のビデオ情報を前記第２の装置へ送信し、前記第２の装置から第２のオーディオ情報および第２のビデオ情報を受信し、前記第２のビデオ情報は前記第２のオーディオ情報に同期して復号される、
システム。
【請求項１９】
前記肯定応答に応答して、前記第１の装置は、前記一方向においてビデオ情報とオーディオ情報との同期を無効化する、
請求項１８記載のシステム。
【請求項２０】
オーディオおよびビデオ情報を通信するための装置であって、
前記装置と他の装置との間の双方向通信の一方向のみにおいて、ビデオ情報とオーディオ情報との同期を無効化するためのコマンドを生成する手段と、
前記コマンドを前記他の装置に送信する手段と、
前記他の装置が一方向においてビデオ情報とオーディオ情報との同期を無効化したことを示す前記コマンドの肯定応答を、前記他の装置から受信する手段と、
第１のオーディオ情報および第１のビデオ情報を前記他の装置に送信する手段と、
前記他の装置から第２のオーディオ情報および第２のビデオ情報を受信する手段と、
を備え、
前記一方向が前記装置から前記他の装置への通信方向である場合、前記送信する手段は、前記第１のオーディオ情報と、前記第１のオーディオ情報とは非同期の第１のビデオ情報を前記他の装置に送信し、受信された前記第２のビデオ情報は前記装置において受信された前記第２のオーディオ情報に同期して復号される、
装置。
【請求項２１】
コンピュータにビデオ情報およびオーディオ情報を他の装置と通信させるためのコードを記憶するコンピュータ可読媒体であって、前記コードは、
前記コンピュータに、前記コンピュータと前記他の装置との間の双方向通信の一方向のみにおいてビデオ情報とオーディオ情報との同期を無効化するためのコマンドを生成させるためのコードと、
前記コンピュータに、前記コマンドを前記他の装置に送信させるためのコードと、
前記コンピュータに、前記他の装置が一方向においてビデオ情報とオーディオ情報との同期を無効化したことを示す前記コマンドの肯定応答を前記他の装置から受信させるためのコードと、
を備え、前記一方向が前記コンピュータから前記他の装置への通信方向である場合には、さらに、
前記コンピュータに、第１のオーディオ情報と、前記第１のオーディオ情報とは非同期の第１のビデオ情報を前記他の装置に送信させるコードと、
前記コンピュータに、前記他の装置から第２のビデオ情報および第２のオーディオ情報を受信させるコードと、
前記コンピュータに、前記第２のビデオ情報を前記第２のオーディオ情報に同期して復号させるコードと、
を含むコンピュータ可読媒体。
【発明の詳細な説明】
【優先権の主張】
【０００１】
本開示は、その内容全体が参照によって本明細書に組み込まれる、２００７年３月２３日に出願された米国仮出願第６０／８９６，８０６号の利益を主張するものである。
【技術分野】
【０００２】
本開示は、オーディオおよびビデオ情報のパケットベースの通信に関し、より詳細には、オーディオおよびビデオ同期を無効化するための技術に関する。
【背景技術】
【０００３】
インターネットプロトコル（ＩＰ）によるパケットベースの通信は多種多様な通信適用例に使用されている。多くの通信適用例では、装置間で通信可能なマルチメディア（すなわち、オーディオビデオ）コンテンツを提供するために、オーディオ符号化がビデオ符号化とともに使用されている。オーディオおよびビデオ情報を符号化する適用例の例としては、少し挙げれば、ビデオ電話（ＶＴ）、テレビ会議、およびストリーミングビデオの適用例がある。オーディオおよびビデオ情報は、オーディオおよびビデオデータのブロックを備えるフレームまたはパケットに分割できる。情報は、符号化し、次いでパケットベースのＩＰ通信によって符号化装置から復号装置に送信することができる。復号装置は、オーディオおよびビデオ出力を生成するためにオーディオおよびビデオ情報を復号し、アセンブルする。
【０００４】
多くのネットワークプロトコルでは、復号装置でのオーディオおよびビデオ情報の同期を可能にするために、タイムスタンプがオーディオおよびビデオ情報とともに使用される。たとえば、ＶＴ適用例では、ビデオ情報を復号装置でオーディオ情報と同期させて、オーディオ情報とビデオ情報が同時にユーザに提示されるようにすることができる。一例として、可聴語音を話者の口の動きに同期させることが望ましい。同様に、特定のビデオコンテンツが特定のオーディオと連動して見られるようにすることができる。３ＧＰＰ  ＴＳ２６．１１４（第３世代共同プロジェクト技術仕様２６．１１４）など、一部の仕様では、全体的なマルチメディア同期の無効化を可能にするためにシグナリングが提供される。この場合、オーディオ情報とビデオ情報とは装置間のいかなる通信についても同期されず、たとえば、オーディオおよびビデオ同期は双方向通信の両方向において無効化される。
【発明の概要】
【０００５】
概して、本開示ではオーディオビデオ同期の単方向無効化のための技術について説明する。特に、パケットベースのネットワークプロトコル用の同期コマンドが規定される。同期コマンドは、送信方向、受信方向、または送信方向と受信方向の両方においてオーディオビデオ同期を無効化することができる。このようにして、装置は、オーディオビデオ同期に対するより多くの制御を与えられ、反対方向において同期を維持しながら、そのような同期を単方向的に（すなわち、一方向のみにおいて）無効化することができる。
【０００６】
たとえば、ビデオ電話（ＶＴ）をサポートするボイスオーバーＩＰ（ＶＯＩＰ）適用例では、デフォルトネットワーク構成はオーディオとのビデオ同期を規定することができる。この場合、ビデオ情報に関連するタイムスタンプを使用して、ビデオ情報を復号装置でオーディオ情報と適切に同期させることができる。ただし、場合によっては、装置が、送信経路においてオーディオ通信を維持しながら、代替のビデオクリップを送信できることが望ましいことがある。さらに、代替のビデオクリップが送信経路において送信されている場合でも、受信経路においてオーディオビデオＶＴが可能であることが望ましいことがある。これらおよび他の場合、受信経路においてオーディオビデオ同期を維持しながら、送信経路においてオーディオビデオ同期を無効化することが望ましい。そのような両方向オーディオビデオ通信の場合、本開示の技術により、装置は、他の装置に非同期のオーディオおよびビデオ情報を送信または受信するよう命令するためのコマンドを送信および受信することができる。ただし、同時に、同期が無効化された方向とは反対の方向における通信のためにオーディオビデオ同期を維持することができる。
【０００７】
一例では、本開示は、双方向通信の一方向のみにおいてビデオ情報とオーディオ情報との同期を無効化するためのコマンドを生成することと、該コマンドを装置に送信することとを備える方法を提供する。
【０００８】
他の例では、本開示は、双方向通信の一方向のみにおいてビデオ情報とオーディオ情報との同期を無効化するためのコマンドを装置から受信することと、該コマンドを受信したことに応答して一方向においてビデオ情報とオーディオ情報との同期を無効化することとを備える方法を提供する。
【０００９】
他の例では、本開示は、双方向通信の一方向のみにおいてビデオ情報とオーディオ情報との同期を無効化するためのコマンドを生成する制御ユニットと、該コマンドを別の装置に送信する送信機とを備える装置を提供する。
【００１０】
他の例では、本開示は、双方向通信の一方向のみにおいてビデオ情報とオーディオ情報との同期を無効化するためのコマンドを受信する受信機と、該コマンドを受信したことに応答して一方向においてビデオ情報とオーディオ情報との同期を無効化する制御ユニットとを備える装置を提供する。
【００１１】
他の例では、本開示は、パケットベースのネットワークと、該パケットベースのネットワークに結合された第１の装置と、該パケットベースのネットワークに結合された第２の装置とを備えるシステムであって、該第１の装置および該第２の装置が、該パケットベースのネットワークによる双方向通信のために互いに通信可能に結合されるシステムを提供する。第１の装置は、双方向通信の一方向においてビデオ情報とオーディオ情報との同期を無効化するためのコマンドを生成し、該コマンドを第２の装置に送信し、該第２の装置は、該コマンドを受信し、該コマンドを受信したことに応答して、一方向においてビデオ情報とオーディオ情報との同期を無効化する。
【００１２】
本開示に記載の技術は、ハードウェア、ソフトウェア、ファームウェア、またはその任意の組合せで実施できる。ソフトウェアで実装した場合、ソフトウェアをデジタル信号プロセッサ（ＤＳＰ）または他のタイプのプロセッサにおいて実行することができる。本技術を実行するソフトウェアは、最初に機械可読媒体に格納し、プロセッサにロードして実行することができる。
【００１３】
したがって、本開示はまた、装置における実行時に、本明細書に記載の技術のいずれかを装置に実行させる命令を備えるコンピュータ可読媒体を企図する。場合によっては、コンピュータ可読媒体は、パッケージング材料を含むことができるコンピュータプログラム製品中に含めることができる。さらに、ハードウェアで実装した場合、本開示の技術は、本明細書に記載の技術のいずれかを実行する回路または他のハードウェア装置を対象とすることができる。
【００１４】
本開示に記載の技術の様々な態様および例の追加の詳細は、添付の図面および下記の説明に記載されている。本明細書に記載の技術の他の特徴、目的、および利点は、これらの説明および図面、ならびに特許請求の範囲から明らかになろう。
【図面の簡単な説明】
【００１５】
【図１】オーディオビデオ同期の単方向無効化のための技術を実装することができるシステムを示すブロック図。
【図２】オーディオビデオ同期の単方向無効化のための技術を実装することができる装置のブロック図。
【図３】オーディオビデオ同期が単方向的に無効化される技術を示す流れ図。
【図４】オーディオビデオ同期が単方向的に無効化される技術を示すタイミング図。
【発明を実施するための形態】
【００１６】
本開示は、オーディオビデオ同期の単方向無効化を可能にするための技術について説明する。特に、本開示では、パケットベースのネットワークプロトコルを介して通信する装置のために使用できる同期コマンドを提案する。同期コマンドはオーディオビデオ同期を単方向的に無効化することができる。特に、同期コマンドは、送信方向、受信方向、または送信方向と受信方向の両方においてオーディオビデオ同期を無効化することができる。装置は、オーディオビデオ同期に対する制御を可能にするためにコマンドを送信および受信することができる。特に、装置は、反対の通信方向において同期を維持しながら、一通信方向のみにおいて同期を無効化するためのコマンドを送信および受信することができる。
【００１７】
多くのネットワークプロトコルにおいて、復号装置において情報の同期を可能にするために、タイムスタンプがオーディオおよびビデオ情報のために使用される。パケットベースのビデオ電話（ＶＴ）適用例では、たとえば、ビデオ情報を復号装置でオーディオ情報と同期させて、オーディオ情報とビデオ情報が同時にユーザに提示されるようにすることができる。そのような同期は、一般にネットワーク中の装置のデフォルト設定である。一例として、可聴語音がＶＴ適用例の話者の口の動きに同期することはしばしば望ましい。同様に、特定のビデオコンテンツが特定のオーディオとともに見られることが意図されることがある。
【００１８】
３ＧＰＰ  ＴＳ２６．１１４（第３世代共同プロジェクト技術仕様（the third generation partnership project technical specification）２６．１１４）など、一部の仕様では、全体的なマルチメディアの同期の無効化を可能にするためにシグナリングが設定される。この場合、シグナリングは、装置間のすべての通信の同期、たとえば、双方向通信の両方向におけるオーディオおよびビデオ情報の同期を無効化することができる。しかしながら、３ＧＰＰ  ＴＳ２６．１１４によって提供されるシグナリングは、反対方向において同期を維持しながら、一方向のみにおいて同期を無効化するという能力が欠如している。
【００１９】
一例として、ＶＴをサポートするボイスオーバーＩＰ（ＶＯＩＰ）適用例は、オーディオとのビデオ同期を規定するデフォルトネットワーク構成を有することができる。この場合、復号装置でビデオ情報をオーディオ情報と適切に同期させるためにビデオ情報に関連するタイムスタンプを使用することができる。しかしながら、場合によっては、送信経路においてオーディオ通信を維持しながら、装置がビデオクリップを送信できるようにすることが望ましい。この場合、ビデオ情報はオーディオ情報とは無関係であり、同期すべきではない。さらに、代替のビデオクリップが送信経路において送信されている場合でも、受信経路において完全なオーディオビデオＶＴが可能であることも望ましい。これらおよび他の場合、受信経路においてオーディオビデオ同期を維持しながら、送信経路においてオーディオビデオ同期を無効化することが望ましい。そのような両方向オーディオビデオ通信の場合、本開示の技術により、装置は、他の装置に非同期のオーディオおよびビデオ情報を送信または受信するよう命令するためのコマンドを送信および受信することができる。ただし、同時に、同期が無効化された方向とは反対の方向における通信のためにオーディオビデオ同期を維持することができる。
【００２０】
図１は、本明細書に記載の技術を使用することができるシステム２を示すブロック図である。図１に示すように、システム２は、第１のオーディオビデオ装置４、第２のオーディオビデオ装置６、およびパケットベースのネットワーク８を含む。第１のオーディオビデオ装置４と第２のオーディオビデオ装置６は両方ともパケットベースのネットワーク８に結合される。このようにして、第１のオーディオビデオ装置４および第２のオーディオビデオ装置６は、パケットベースのネットワーク８による双方向通信のために互いに通信可能に結合される。
【００２１】
第１のオーディオビデオ装置４および第２のオーディオビデオ装置６は、オーディオビデオ情報の相互通信をサポートするために、相反構成要素を含むことができる。第１のオーディオビデオ装置４と第２のオーディオビデオ装置６との間の通信リンクは、有線または無線チャネル、場合によっては有線チャネルと無線チャネルの組合せを含むことができる。
【００２２】
第１のオーディオビデオ装置４および第２のオーディオビデオ装置６は、１つまたは複数のマイクロプロセッサ、デジタル信号プロセッサ（ＤＳＰ）、特定用途向け集積回路（ＡＳＩＣ）、フィールドプログラマブルゲートアレイ（ＦＰＧＡ）、ディスクリート論理、ソフトウェア、ハードウェア、ファームウェア、またはそれらの任意の組合せを含むように実装できる。第１のオーディオビデオ装置４および第２のオーディオビデオ装置６の例としては、デジタルテレビジョン、ラップトップコンピュータまたはデスクトップコンピュータ、デジタル音楽およびビデオ装置、ビデオゲーム機器、およびセルラ、衛星または地上ベースの無線電話、および携帯情報端末（ＰＤＡ）などの無線通信装置がある。
【００２３】
例示的な一実施形態では、第１および第２の装置４、６は、各々が無線通信装置、たとえば一般に移動電話と呼ばれるハンドセットを備える。この場合、第１および第２の装置４、６は、オーディオおよびビデオ情報が装置４、６間で送信されるＶＴ適用例をサポートすることができる。そのようなＶＴ適用例のためのデフォルト設定は、両通信経路におけるビデオ情報のオーディオ情報との同期を規定することができる。説明のために、第１のオーディオビデオ装置４から第２のオーディオビデオ装置６への通信を順方向通信と呼ぶことがあり、一方、第２のオーディオビデオ装置６から第１のオーディオビデオ装置４への通信を逆方向通信と呼ぶことがある。もちろん、これらの方向を逆にしてもよい。
【００２４】
本明細書に記載の構成要素は本明細書に記載の技術の実施に適用できる構成要素の例であるが、第１のオーディオビデオ装置４および第２のオーディオビデオ装置６は必要に応じて多くの他の構成要素を含むことができる。さらに、本開示の技術は、必ずしもシステム２のようなシステムにおける使用に限定されない。本技術は、ビデオ情報がオーディオ情報と同期するいかなるオーディオビデオ符号化環境においても適用できる。
【００２５】
概して、第１のオーディオビデオ装置４は、第２のオーディオビデオ装置６との双方向通信の一方向のみにおいてビデオ情報とオーディオ情報との同期を無効化するためのコマンドを生成する。第１のオーディオビデオ装置４はコマンドを第２のオーディオビデオ装置６に送信する。第２のオーディオビデオ装置６は、双方向通信の一方向のみにおいてビデオ情報とオーディオ情報との同期を無効化するためのコマンドを受信する。コマンドを受信したことに応答して、第２のオーディオビデオ装置６は一方向においてビデオ情報とオーディオ情報との同期を無効化する。第２のオーディオビデオ装置６は、ビデオ情報とオーディオ情報との同期が一方向において無効化されたことを示すために、コマンドの肯定応答を第１のオーディオビデオ装置４に送信することができる。第１のオーディオビデオ装置４は、第２のオーディオビデオ装置６からコマンドの肯定応答を受信し、肯定応答に応答して、第１のオーディオビデオ装置４は一方向においてビデオ情報とオーディオ情報との同期を無効化する。
【００２６】
一例では、コマンドは、たとえば、第１のオーディオビデオ装置４から第２のオーディオビデオ装置６への通信の順方向において、ビデオおよびオーディオ情報の同期を無効化する。この場合、第１のオーディオビデオ装置４は、第１のオーディオ情報および第１のビデオ情報を第２のオーディオビデオ装置６に送信し、第１のオーディオ情報および第１のビデオ情報の同期は無効化される。第１のオーディオ情報は、第１のオーディオビデオ装置４の第１のユーザに関連する第１の音声（voice）情報を備えることができ、第１のビデオ情報は、第１のオーディオ情報とは無関係のビデオクリップを備えることができる。次いで第１のオーディオビデオ装置４は、第２のオーディオビデオ装置６から第２のオーディオ情報および第２のビデオ情報を受信し、第２のオーディオ情報および第２のビデオ情報の同期は有効化される。第２のオーディオ情報は、第２のオーディオビデオ装置６における第２のユーザに関連する第２の音声(voice)情報を備えることができ、第２のビデオ情報は、第２のオーディオ情報に関連するビデオを備えることができる。
【００２７】
他の例では、コマンドは、たとえば、第２のオーディオビデオ装置６から第１のオーディオビデオ装置４への通信の逆方向において、ビデオおよびオーディオ情報の同期を無効化する。この場合、第１のオーディオビデオ装置４は、第１のオーディオ情報および第１のビデオ情報を第２のオーディオビデオ装置６に送信し、第１のオーディオ情報および第１のビデオ情報の同期は有効化される。第１のオーディオ情報は、第１のオーディオビデオ装置４の第１のユーザに関連する第１の音声（voice）情報を備え、第１のビデオ情報は、第１のオーディオ情報に関連するビデオを備える。第１のオーディオビデオ装置４は、第２のオーディオビデオ装置６から第２のオーディオ情報および第２のビデオ情報を受信し、第２のオーディオ情報および第２のビデオ情報の同期は無効化される。第２のオーディオ情報は、第２のオーディオビデオ装置６の第２のユーザに関連する第２の音声(voice)情報を備えることができ、第２のビデオ情報は、第２のオーディオ情報とは無関係のビデオクリップを備える。
【００２８】
例示的な一実施形態では、一方向において同期を無効化するためのコマンドは、第３世代共同プロジェクト技術仕様２６．１１４（３ＧＰＰ  ＴＳ２６．１１４）プロトコルにおける同期属性コマンドを含む。この場合、コマンドは、送信方向、受信方向、または送信方向と受信方向の両方におけるビデオ情報がオーディオ情報と同期すべきではないことを示す、双方向ビデオストリーム内のセッション記述プロトコル（ＳＤＰ:session description protocol）更新を含むことができる。第１および第２の装置４、６は、当該コマンドを理解し、当該コマンドによって指定された方式で同期を無効化するようにプログラムできる。ここでも、これは同期を単方向的にのみ無効化する能力を含む。
【００２９】
図２は例示的なオーディオビデオ装置１０のブロック図であり、これは図１の第１のオーディオビデオ装置４または第２のオーディオビデオ装置６に対応する。装置１０は、パケットベースのネットワーク８を通じて別の装置との通信を送信および受信する。通信はオーディオ情報とビデオ情報の両方を含む。送信機１４はそのようなオーディオビデオ情報を送信し、受信機１６はそのようなオーディオビデオ情報を受信する。実装形態によっては、送信機１４および受信機１６を共通トランシーバに一体化することもできる。
【００３０】
制御ユニット１２はオーディオビデオ装置１０内での制御およびデータ転送を可能にする。装置１０はビデオユニット１８を含み、ビデオユニット１８は、ビデオ情報の符号化および復号を可能にするためにビデオＣＯＤＥＣ（符号化復号器）を備えることができる。装置１０はまたオーディオユニット２０を含み、オーディオユニット２０は、オーディオ情報の符号化および復号を可能にするためにオーディオＣＯＤＥＣを備えることができる。場合によっては、ビデオユニット１８とオーディオユニット２０を共通オーディオビデオＣＯＤＥＣに一体化することができる。ビデオ情報はデフォルト設定としてオーディオ情報と同期することができる。この場合、ビデオユニット１８は、たとえばビデオおよびオーディオ情報のタイムスタンプに基づいて、復号されたビデオ情報をオーディオユニット２０からの復号されたオーディオ情報と同期させる。メモリ２２は、符号化された情報および復号された情報を記憶する。1つまたは複数のユーザインターフェース２４は、ユーザとの対話を可能にすることができ、表示画面、タッチスクリーン、キーパッド、スクロールバー、スクロールホイール、または出力を示すかまたはユーザからの入力を受信することができる他のユニットを含むことができる。図２に示される各種の構成要素は、１つまたは複数のプロセッサ、ＤＳＰ、ＡＳＩＣ、ＦＰＧＡ、ディスクリート論理、ソフトウェア、ハードウェア、ファームウェア、またはそれらの任意の組合せとして少なくとも部分的に実装できる。ソフトウェアで実装した場合、実行可能命令をメモリ２２に記憶し、実行のために制御ユニット１２（または装置１０の他のユニット）にロードすることができる。
【００３１】
本開示によれば、装置１０は、別の装置との双方向通信の一方向のみにおいてビデオ情報とオーディオ情報との同期を無効化するためのコマンドを生成する。特に、制御ユニット１２は、コマンドを生成し、送信機１４に、パケットベースのネットワーク８を介してコマンドを別の装置（図２には図示せず）に送信させる。受信機１６は、他の装置からコマンドの肯定応答を受信することができ、肯定応答に応答して、装置１０は一方向においてビデオ情報とオーディオ情報との同期を無効化する。
【００３２】
他の例では、装置１０は、双方向通信の一方向においてビデオ情報とオーディオ情報との同期を無効化するためのコマンドを受信することができる。この場合、装置１０は、パケットベースのネットワーク８を介して装置１０に結合することができる別の装置（図２には図示せず）からコマンドを受信する。コマンドを受信したことに応答して、装置１０は、一方向においてビデオ情報とオーディオ情報との同期を無効化する。この場合、装置１０は、ビデオ情報とオーディオ情報との同期が一方向において無効化されたことを示すために、パケットベースのネットワーク８を介してコマンドの肯定応答を他の装置に送信することができる。
【００３３】
コマンドは、たとえば、装置１０からパケットベースのネットワーク８に結合された別の装置への通信の順方向において、または、たとえば、他の装置から装置１０への逆方向において、ビデオおよびオーディオ情報の同期を無効化することができる。順方向の場合、装置１０の送信機１４はオーディオ情報およびビデオ情報を他の装置に送信し、オーディオ情報およびビデオ情報の同期が無効化される。逆方向の場合、オーディオビデオ装置１０の受信機１６は他の装置からオーディオ情報およびビデオ情報を受信し、オーディオ情報およびビデオ情報の同期が無効化される。同期が無効化されると、ビデオユニット１８は、ビデオ情報をオーディオ情報と同期させることなくビデオ情報を復号する。１つまたは複数のユーザインターフェース２４は、オーディオユニット２０によって復号されたオーディオ情報との同期なしにビデオ情報を提示する。
【００３４】
図３は、オーディオビデオ同期が単方向的に無効化される技術を示す流れ図である。図３に示すように、第１のオーディオビデオ装置４は、一方向において同期を無効化するためのコマンドを生成し（３１）、第１のオーディオビデオ装置４は該コマンドを第２のオーディオビデオ装置６に送信する（３２）。第２のオーディオビデオ装置６は、コマンドを受信し（３３）、該コマンドに応答して一方向において同期を無効化する（３４）。第２のオーディオビデオ装置６はまた、第１のオーディオビデオ装置４に肯定応答を送信する（３５）。
【００３５】
第１のオーディオビデオ装置４は、肯定応答を受信し（３６）、肯定応答に応答して一方向において同期を無効化する（３７）。第１のオーディオビデオ装置４は、オーディオ情報を第２のオーディオビデオ装置６に送信し、第２のオーディオビデオ装置６からオーディオ情報を受信し（３８）、第２のオーディオビデオ装置６はオーディオ情報を第１のオーディオビデオ装置４に送信し、第１のオーディオビデオ装置４からオーディオ情報を受信する（３９）。この時点で、オーディオビデオ同期は、オーディオビデオ装置４および６間の両方向通信の順方向または逆方向において無効化される。すなわち、オーディオビデオ同期は、両方向通信の一方向においては無効化されるが、両方向通信の反対方向においては有効化されたままである。
【００３６】
図４は、オーディオビデオ同期が単方向的に無効化される技術を示すタイミング図である。Ｄ１およびＤ２は、それぞれ第１および第２の装置を表す。Ｄ１は図１の装置４に対応し、Ｄ２は図１の装置６に対応する。図４に示すように、Ｄ１はＤ２にオファーを送信する。オファーは、ｍ＝ａｕｄｉｏ  ７０００  ＲＴＰ／ＡＶＰ  １００を指定する。これは、Ｄ２が１００のリアルタイムトランスポートプロトコル／オーディオビデオプロファイル（ＲＴＰ／ＡＶＰ）を有するオーディオ情報を装置Ｄ１のポート７０００に送信することを、Ｄ１が望んでいることを意味する。ＲＴＰ／ＡＶＰ１００は、オーディオ通信のペイロードタイプを指定する。オファーはまた、情報のマッピングを提供し、使用すべきオーディオＣＯＤＥＣを識別するａ＝ｒｔｐｍａｐ：１００  ｅｖｒｃｂ０／８０００を指定する。特に、「ｅｖｒｃｂ０／８０００」は、ＣＯＤＥＣ「ｅｖｒｃｂ」を８０００のサンプリング周波数とともに使用すべきであることを信号送信する。「ｅｖｒｃｂ０」の「０」は、ｅｖｒｃｂ  ＣＯＤＥＣによって生成されたスピーチフレームの特定のパケット化モードを信号送信する。パラメータ「ｒｔｐｍａｐ」は、（「ｍ＝ａｕｄｉｏ  ７０００  ＲＴＰ／ＡＶＰから）ｅｖｒｃｂ０／８０００にペイロードタイプ１００をマッピングする。実際のパケットは、Ｄ２によってｅｖｒｃｂ０／８０００の同定と解釈できるペイロードタイプ１００を搬送する。
【００３７】
オファーはまた、ｍ＝ｖｉｄｅｏ  ６０００  ＲＴＰ／ＡＶＰ  ９８であることを指定する。これは、Ｄ１が、Ｄ２が９８のＲＴＰ／ＡＶＰを有するビデオ情報を装置Ｄ１のポート６０００に送信することを望んでいることを意味する。ＲＴＰ／ＡＶＰ  ９８は、ビデオ通信のペイロードタイプを指定する。オファーはまた、ａ＝３ｇｐｐ＿ｓｙｎｃ＿ｉｎｆｏ：Ｎｏ  Ｓｙｎｃ：ｓｅｎｄであることを指定する。このコマンド（ａ＝３ｇｐｐ＿ｓｙｎｃ＿ｉｎｆｏ：Ｎｏ  Ｓｙｎｃ：ｓｅｎｄ）は、同期を単方向的に無効化するコマンドの一例である。この場合、Ｄ１は、Ｄ１からＤ２への送信方向において同期を無効化することをＤ２に要求した。あるいは、Ｄ１は、Ｄ２からＤ１への受信方向において同期を無効化するコマンド（ａ＝３ｇｐｐ＿ｓｙｎｃ＿ｉｎｆｏ：Ｎｏ  Ｓｙｎｃ：ｒｅｃｖ）、または送信方向と受信方向の両方において同期を無効化するコマンド（ａ＝３ｇｐｐ＿ｓｙｎｃ＿ｉｎｆｏ：Ｎｏ  Ｓｙｎｃ：ｓｅｎｄ  ａｎｄ  ｒｅｃｖ）を送信することもできる。
【００３８】
Ｄ１からオファーを受信すると、Ｄ２はオファーを承認するアンサーを送信する。アンサーは、ｍ＝ａｕｄｉｏ  ８０００  ＲＴＰ／ＡＶＰ  １００を指定する。これは、Ｄ２が、Ｄ１が１００のＲＴＰ／ＡＶＰを有するオーディオ情報を装置Ｄ２のポート８０００に送信することを望んでいることを意味する。ここでも、ＲＴＰ／ＡＶＰ  １００は、オーディオ通信のペイロードタイプを指定する。アンサーはまた、情報のマッピングを提供して、使用すべきオーディオＣＯＤＥＣを識別するａ＝ｒｔｐｍａｐ：１００  ｅｖｒｃｂ０／８０００を指定する。ここでも、「ｅｖｒｃｂ０／８０００」は、ＣＯＤＥＣ「ｅｖｒｃｂ」を８０００のサンプリング周波数とともに使用すべきであることを信号送信し、「ｅｖｒｃｂ０」の「０」は、ｅｖｒｃｂ  ＣＯＤＥＣによって生成されるスピーチフレームの特定のパケット化モードを信号送信する。パラメータ「ｒｔｐｍａｐ」は、（ｍ＝ａｕｄｉｏ  ８０００  ＲＴＰ／ＡＶＰ  １００から）ｅｖｒｃｂ０／８０００にペイロードタイプ１００をマッピングする。
【００３９】
アンサーはまた、ｍ＝ｖｉｄｅｏ  ７０００  ＲＴＰ／ＡＶＰ  ９８であることを指定する。これは、Ｄ２が、Ｄ１が９８のＲＴＰ／ＡＶＰを有するビデオ情報を装置Ｄ２のポート７０００に送信することを望んでいることを意味する。ここでも、ＲＴＰ／ＡＶＰ  ９８は、ビデオ通信のペイロードタイプを指定する。アンサーはまた、ａ＝３ｇｐｐ＿ｓｙｎｃ＿ｉｎｆｏ：Ｎｏ  Ｓｙｎｃ：ｒｅｃｖであることを指定する。このコマンドは、Ｄ２がＤ１からＤ２への送信方向において同期を無効化することを承認する。
【００４０】
本開示に記載のコマンドは、オーディオビデオ同期の単方向無効化を可能にすることができる。特に、同期コマンドは、送信方向、受信方向、または送信方向と受信方向の両方においてオーディオビデオ同期を無効化することができる。装置Ｄ１およびＤ２は、オーディオビデオ同期に対する制御を可能にするためのコマンドを送信および受信することができる。このようにして、装置Ｄ１およびＤ２は、反対の通信方向において同期を維持しながら、通信の一方向において同期を無効化するためのコマンドを送信および受信することができる。
【００４１】
いくつかの技術および例について説明した。本明細書に記載の技術は、ハードウェア、ソフトウェア、ファームウェア、またはその任意の組合せで実装できる。ソフトウェアで実装した場合、本明細書に記載の技術は、装置における実行時に、上記の技術の１つまたは複数を実行する命令を備えるコンピュータ可読媒体において実施することができる。たとえば、命令は、実行時に、双方向通信の一方向のみにおいてビデオ情報とオーディオ情報との同期を無効化するためのコマンドを装置に生成させて、別の装置にコマンドを送信させることができる。また、命令は、実行時に、双方向通信の一方向のみにおいてビデオ情報とオーディオ情報との同期を無効化するためのコマンドを、装置に別の装置から受信させ、コマンドを受信したことに応答して一方向においてビデオ情報とオーディオ情報との同期を無効化させることができる。場合によっては、コンピュータ可読媒体は、パッケージング材料を含むことができるコンピュータプログラム製品中に含まれることができる。
【００４２】
コンピュータ可読媒体は、同期ダイナミックランダムアクセスメモリ（ＳＤＲＡＭ）などのランダムアクセスメモリ（ＲＡＭ）、読取り専用メモリ（ＲＯＭ）、不揮発性ランダムアクセスメモリ（ＮＶＲＡＭ）、電気消去可能プログラマブル読出し専用メモリ（ＥＥＰＲＯＭ）、ＦＬＡＳＨメモリ、磁気または光学データ記憶媒体などを備えることができる。命令は、１つまたは複数のＤＳＰ、汎用マイクロプロセッサ、１つまたは複数のＡＳＩＣ、１つまたは複数のＦＰＧＡ、または他の等価な集積またはディスクリート論理回路など、１つまたは複数のプロセッサあるいは他の機械によって実行できる。いくつかの実施形態では、本明細書に記載の機能性を、専用のソフトウェアモジュールまたはハードウェアユニットの内部に提供することができる。
【００４３】
さらに、場合によっては、本開示の技術をハードウェアで実装することができ、その場合に本開示は集積回路、ＡＳＩＣ、ＦＰＧＡなどの回路を対象とすることができる。回路は、装置に、双方向通信の一方向のみにおいてビデオ情報とオーディオ情報との同期を無効化するためのコマンドを生成させ、コマンドを別の装置に送信させることができる。また、回路は、装置に、双方向通信の一方向のみにおいてビデオ情報とオーディオ情報との同期を無効化するためのコマンドを別の装置から受信させ、コマンドを受信したことに応答して一方向においてビデオ情報とオーディオ情報との同期を無効化させることができる。
【００４４】
上記の技術については主に２つの装置間の双方向通信のコンテキストで説明したが、本開示の技術は、所与の装置が複数の装置と双方向通信するシナリオに適用できる。この場合、コマンドを生成し送信する所与の装置は複数の装置にコマンドを送信することができ、すべての装置が所与の装置と双方向通信する。コマンドを受信する種々の装置の各々は、本明細書に記載されているように、双方向通信の一方向のみにおいて同期を無効化し、送信装置へのコマンドを承認することができる。
【００４５】
これらおよび他の例は以下の特許請求の範囲の範囲内にある。
以下に、本願出願の当初の特許請求の範囲に記載された発明を付記する。
［付記］
［１］  双方向通信の一方向のみにおいてビデオ情報とオーディオ情報との同期を無効化するためのコマンドを生成するステップ、及び
前記コマンドを装置に送信するステップ、
を含む方法。
［２］  前記装置が前記一方向においてビデオ情報とオーディオ情報との同期を無効化したことを示す前記コマンドの肯定応答を前記装置から受信するステップ、
をさらに含む［１］記載の方法。
［３］  前記一方向は前記装置への通信方向を含み、前記方法は、
第１のオーディオ情報および第１のビデオ情報を前記装置に送信して、前記第１のオーディオ情報および前記第１のビデオ情報について同期が無効化されるステップ、及び
前記装置から第２のオーディオ情報および第２のビデオ情報を受信して、前記第２のオーディオ情報および前記第２のビデオ情報について同期が有効化されるステップ、
をさらに含む［１］記載の方法。
［４］  前記第１のオーディオ情報は、第１のユーザに関連する第１の音声情報を含み、
前記第１のビデオ情報は、前記第１のオーディオ情報とは無関係のビデオクリップを含み、
前記第２のオーディオ情報は、第２のユーザに関連する第２の音声情報を含み、
前記第２のビデオ情報は、前記第２のオーディオ情報に関連するビデオを含む、［３］記載の方法。
［５］  前記一方向は前記装置からの通信方向を含み、前記方法は、
第１のオーディオ情報および第１のビデオ情報を前記装置に送信して、前記第１のオーディオ情報および前記第１のビデオ情報について同期が有効化されるステップ、及び
前記装置から第２のオーディオ情報および第２のビデオ情報を受信して、前記第２のオーディオ情報および前記第２のビデオ情報について同期が無効化されるステップ、
をさらに含む［１］記載の方法。
［６］  前記第１のオーディオ情報は、第１のユーザに関連する第１の音声情報を含み、
前記第１のビデオ情報は、前記第１のオーディオ情報に関連するビデオを含み、
前記第２のオーディオ情報は、第２のユーザに関連する第２の音声情報を含み、及び  前記第２のビデオ情報は、前記第２のオーディオ情報とは無関係のビデオクリップを含む［５］記載の方法。
［７］  前記コマンドは、第３世代共同プロジェクト技術仕様（the third generation partnership project technical specification）２６．１１４（３ＧＰＰ  ＴＳ２６．１１４）に実質的に準拠するプロトコルにおける同期属性コマンドを含む［１］記載の方法。
［８］  双方向通信の一方向のみにおいてビデオ情報とオーディオ情報との同期を無効化するためのコマンドを装置から受信するステップ、及び
前記コマンドを受信したことに応答して、前記一方向においてビデオ情報とオーディオ情報との同期を無効化するステップ、を含む方法。
［９］  ビデオ情報とオーディオ情報との同期が前記一方向において無効化されたことを示すために、前記コマンドの肯定応答を前記装置に送信するステップをさらに含む［８］記載の方法。
［１０］  前記一方向は前記装置への通信方向を含む、前記方法は、
第１のオーディオ情報および第１のビデオ情報を前記装置に送信して、前記第１のオーディオ情報および前記第１のビデオ情報について同期が無効化されるステップ、及び
前記装置から第２のオーディオ情報および第２のビデオ情報を受信して、前記第２のオーディオ情報および前記第２のビデオ情報の同期が有効化されるステップ、
をさらに含む［８］記載の方法。
［１１］  前記第１のオーディオ情報は、第１のユーザに関連する第１の音声情報を含み、
前記第１のビデオ情報は、前記第１のオーディオ情報とは無関係のビデオクリップを含み、
前記第２のオーディオ情報は、第２のユーザに関連する第２の音声情報を含み、
前記第２のビデオ情報は、前記第２のオーディオ情報に関連するビデオを含む、［１０］記載の方法。
［１２］  前記一方向が前記装置からの通信方向を含み、
第１のオーディオ情報および第１のビデオ情報を前記装置に送信して、前記第１のオーディオ情報および前記第１のビデオ情報について同期が有効化されるステップ、及び
前記装置から第２のオーディオ情報および第２のビデオ情報を受信して、前記第２のオーディオ情報および前記第２のビデオ情報について同期が無効化されるステップ、
をさらに含む［８］記載の方法。
［１３］  前記第１のオーディオ情報は、第１のユーザに関連する第１の音声情報を含み、
前記第１のビデオ情報は、前記第１のオーディオ情報に関連するビデオを含み、
前記第２のオーディオ情報は、第２のユーザに関連する第２の音声情報を含み、
前記第２のビデオ情報が、前記第２のオーディオ情報とは無関係のビデオクリップを含む［１２］記載の方法。
［１４］  前記コマンドは、第３世代共同プロジェクト技術仕様（the third generation partnership project technical specification）２６．１１４（３ＧＰＰ  ＴＳ２６．１１４）に実質的に準拠するプロトコルにおける同期属性コマンドを含む［８］記載の方法。
［１５］  オーディオおよびビデオ情報を通信するための装置であって、
双方向通信の一方向のみにおいてビデオ情報とオーディオ情報との同期を無効化するためのコマンドを生成する制御ユニットと、
前記コマンドを他の装置に送信する送信機と、
を備える装置。
［１６］  前記他の装置が前記一方向においてビデオ情報とオーディオ情報との同期を無効化したことを示す前記コマンドの肯定応答を、前記他の装置から受信する受信機をさらに備える、［１５］記載の装置。
［１７］  前記一方向は前記装置から前記他の装置への通信方向を含み、
前記送信機は、第１のオーディオ情報および第１のビデオ情報を前記他の装置に送信して、前記第１のオーディオ情報および前記第１のビデオ情報について同期が無効化され、  前記受信機は、前記他の装置から第２のオーディオ情報および第２のビデオ情報を受信して、前記第２のオーディオ情報および前記第２のビデオ情報について同期が有効化される、［１５］記載の装置。
［１８］  前記第１のオーディオ情報は、第１のユーザに関連する第１の音声情報を含み、
前記第１のビデオ情報は、前記第１のオーディオ情報とは無関係のビデオクリップを含み、
前記第２のオーディオ情報は、第２のユーザに関連する第２の音声情報を含み、
前記第２のビデオ情報は、前記第２のオーディオ情報に関連するビデオを含む、［１７］記載の装置。
［１９］  前記一方向は前記他の装置から前記装置への通信方向を含み、
前記送信機が、第１のオーディオ情報および第１のビデオ情報を前記他の装置に送信して、前記第１のオーディオ情報および前記第１のビデオ情報について同期が有効化され、  前記受信機は、前記他の装置から第２のオーディオ情報および第２のビデオ情報を受信して、前記第２のオーディオ情報および前記第２のビデオ情報について同期が無効化される、［１５］記載の装置。
［２０］  前記第１のオーディオ情報は、第１のユーザに関連する第１の音声情報を含み、
前記第１のビデオ情報は、前記第１のオーディオ情報に関連するビデオを含み、
前記第２のオーディオ情報は、第２のユーザに関連する第２の音声情報を含み、
前記第２のビデオ情報は、前記第２のオーディオ情報とは無関係のビデオを含む、［１９］記載の装置。
［２１］  前記コマンドは、第３世代共同プロジェクト技術仕様（the third generation partnership project technical specification）２６．１１４（３ＧＰＰ  ＴＳ２６．１１４）に実質的に準拠するプロトコルにおける同期属性コマンドを含む［１５］記載の装置。
［２２］  無線通信装置ハンドセットと、
集積回路と、
のうちの少なくとも１つを備える［１５］記載の装置。
［２３］  オーディオおよびビデオ情報を通信するための装置であって、
双方向通信の一方向のみにおいてビデオ情報とオーディオ情報との同期を無効化するためのコマンドを受信する受信機と、
前記コマンドを受信したことに応答して、前記一方向においてビデオ情報とオーディオ情報との同期を無効化する制御ユニットと、  を備える装置。
［２４］  パケットベースのネットワークと、
前記パケットベースのネットワークに結合された第１の装置と、
前記パケットベースのネットワークに結合された第２の装置と
を備えるシステムであって、
前記第１の装置および前記第２の装置は、前記パケットベースのネットワークを通じて双方向通信するために互いに通信可能に結合され、
前記第１の装置は、双方向通信の一方向のみにおいてビデオ情報とオーディオ情報との同期を無効化するためのコマンドを生成し、前記コマンドを前記第２の装置に送信し、  前記第２の装置は、前記コマンドを受信し、前記コマンドを受信したことに応答して前記一方向においてビデオ情報とオーディオ情報との同期を無効化する、  システム。
［２５］  前記第２の装置は、前記第１の装置に肯定応答を送信し、
前記肯定応答に応答して、前記第１の装置は、前記一方向においてビデオ情報とオーディオ情報との同期を無効化する、
［２４］記載のシステム。
［２６］  オーディオおよびビデオ情報を通信するための装置であって、
前記装置と他の装置との間の双方向通信の一方向のみにおいて、ビデオ情報とオーディオ情報との同期を無効化するためのコマンドを生成する手段と、
前記コマンドを前記他の装置に送信する手段と、を備える装置。
［２７］  前記他の装置が一方向においてビデオ情報とオーディオ情報との同期を無効化したことを示す前記コマンドの肯定応答を、前記他の装置から受信する手段をさらに備える、［２６］記載の装置。
［２８］  コンピュータにビデオ情報およびオーディオ情報を他の装置と通信させるためのコードを記憶するコンピュータ可読媒体であって、前記コードは、
前記コンピュータに、前記コンピュータと前記装置との間の双方向通信の一方向のみにおいてビデオ情報とオーディオ情報との同期を無効化するためのコマンドを生成させるためのコードと、
前記コンピュータに前記コマンドを前記装置に送信させるためのコードと、
を含むコンピュータ可読媒体。
［２９］  前記装置が一方向においてビデオ情報とオーディオ情報との同期を無効化したことを示す前記コマンドの肯定応答を前記装置から受信するように前記コンピュータを構成するためのコードをさらに含む、［２８］記載のコードを記憶するコンピュータ可読媒体。
【図１】
0005270021.tif 000002
【図２】
0005270021.tif 000003
【図３】
0005270021.tif 000004
【図４】
0005270021.tif 000005